(57)【要約】【課題】換気強化に伴う空調負荷の増大を防止すべく、室内空気と外気との湿度や温度の交換を行いながら換気が可能なデシカント装置において、除湿材の乾燥（再生）に要する運転時間を短縮して効率のよい換気を行うとともに、軽量コンパクトでメンテナンスが容易な換気システムを提供する。【解決手段】夏季や梅雨時においては、給気モード運転時に外気２が水分吸脱装置部４を経由し除湿され、次いで蓄熱装置部７を経由し冷却された後に室内へ供給される流路構成とし、排気モード運転時に除湿材１を乾燥（再生）させる再生運転が行われる。一方冬季においては、給気モード運転時に除湿材１を乾燥（再生）させる再生運転が行われ、排気モード運転時に室内空気３が蓄熱装置部７を経由し、次いで水分吸脱装置部４を経由し除湿された後に室外へ排出される流路構成とする。【選択図】図１
2007170786.tif 000002
【特許請求の範囲】
【請求項１】
外気を室内へ供給する給気モードと、室内空気を室外へ排出する排気モードとを有する換気システムにおいて、除湿材を内蔵し流通空気からの除湿又は流通空気の加湿を行う水分吸脱装置部を備えるとともに、蓄熱体を内蔵し流通空気の冷却又は流通空気の加熱を行う蓄熱装置部とを備え、前記水分吸脱装置部及び蓄熱装置部を経由する給気モード運転と、少なくとも蓄熱装置部を経由する排気モード運転とを交互に繰り返し行うようにしたことを特徴とする換気システム。
【請求項２】
給気モード運転時には、前記水分吸脱装置部を通過した外気が前記蓄熱装置部を経由した後に室内へ供給され、排気モード運転時には、前記蓄熱装置部を通過した室内空気が前記水分吸脱装置部を経由した後に、或いは前記水分吸脱装置部を経由することなく直接的に室外へ排出される流路構成としたことを特徴とする請求項１記載の換気システム。
【請求項３】
外気が室内空気に比して相対的に多量の水分を含む条件においては、前記給気モード運転時に外気が前記水分吸脱装置部を経由し除湿され、次いで前記蓄熱装置部を経由し冷却された後に室内へ供給される流路構成とし、前記排気モード運転時に前記除湿材を乾燥（再生）させる再生運転が行われることを特徴とする請求項１、２いずれかに記載の換気システム。
【請求項４】
室内空気が外気に比して相対的に多量の水分を含む条件においては、給気モード運転時に前記除湿材を乾燥（再生）させる再生運転が行われ、前記排気モード運転時に室内空気が前記蓄熱装置部を経由し、次いで前記水分吸脱装置部を経由し除湿された後に室外へ排出される流路構成としたことを特徴とする請求項１、２いずれかに記載の換気システム。
【請求項５】
前記除湿材を乾燥（再生）させる再生運転時間を、流通空気の除湿を行う給気又は排気の運転時間の半分以下に設定したことを特徴とする請求項３、４いずれかに記載の換気システム。
【請求項６】
一般空調機、湯沸かし器、動力装置等の既存設備から排出される高温空気或いは温排気を前記水分吸脱装置に導く導入手段、及び／又は前記除湿材にマイクロ波を照射するマイクロ波照射装置を備え、前記再生運転時において、前記除湿材を乾燥（再生）させることを特徴とする請求項３〜５いずれかに記載の換気システム。
【請求項７】
前記マイクロ波照射装置は、前記除湿材の吸湿状態を検知する湿度検出装置と、この検知した湿度に応じて照射するマイクロ波の入切または強弱を制御可能とするマイクロ波制御機構とを具備することを特徴とする請求項６記載の換気システム。
【請求項８】
前記水分吸脱装置部における除湿材は、吸湿効果のある微粉末が通気性シートに分散固定することによって構成されるか、又は吸湿効果のある物質を溶解させた液体を通気性シートに吸着させた後、乾燥・晶析することによって構成されるか、或いは吸湿性を有する繊維を織り込むことによって構成されたシート状の除湿剤とされることを特徴とする請求項１〜７いずれかに記載の換気システム。
【請求項９】
前記除湿材を内包する函体の外壁又は函体内部に前記除湿材と隔壁を介して熱交換可能な空気流路を設置し、当該空気流路に外気、又は一般空調機、湯沸かし器、動力装置などの既存設備から排出される高温空気或いは温排気を導入する構成としたことを特徴とする請求項１〜８いずれかに記載の換気システム。
【発明の詳細な説明】
【技術分野】
【０００１】
本発明は、住居、オフィス、商業施設、体育館、イベント会場などの室内空間を快適な温度・湿度状態に維持しながら、室内空気の換気を可能とする換気システムに関する。
【背景技術】
【０００２】
近年、地球温暖化の傾向が顕著となり、その対策として主たる温室効果ガスである二酸化炭素の排出量を削減すべく化石燃料の高効率使用（省エネルギー活動）が進められている。
【０００３】
特に民生分野（家庭、業務）の空調設備は現在も導入件数が増加しつつあり、エネルギー使用量（特に電力使用量）は拡大しつつあるため、その使用量削減に向けた空調機器・システムの効率改善は喫緊の課題である。
【０００４】
ところが、民生分野での省エネルギー対策の一環として実施されている住宅やオフィスビルの高気密化は、家具や建材から発生する有害化学物質などに起因するシックハウス症候群などの弊害をもたらしている。この対策として導入されたのが住宅などでの換気（基準）強化である。しかしながら、換気強化は外気による空調負荷、とりわけ除湿や加湿などの潜熱負荷増大を招くことから効果的な換気システムが不可欠となる。
【０００５】
近年、空気の調湿を冷却除湿や超音波加湿などに頼らないデシカント調湿技術が提案されている。例えば下記特許文献１では、２つのデシカントを処理空気と再生空気に交互に切り換えて流通可能に配置し、一方で処理空気中の水分を吸着し、他方で再生空気によって再生するようにした空調システムにおいて、再生空気経路にヒートポンプの高温熱源を配して再生空気を加熱し、処理空気経路にヒートポンプの低温熱源を配して処理空気を冷却するとともに、デシカント通過後の処理空気とデシカント通過前の再生空気との間で顕熱交換を行う熱交換器を設けた空調システムが記載されている。
【特許文献１】特開平９−３１８１２７号公報
【発明の開示】
【発明が解決しようとする課題】
【０００６】
しかしながら、前記特許文献１記載のデシカント空調システムでは、除湿材の乾燥（再生）運転に時間がかかるという問題があった。そのため吸湿と乾燥のサイクルを速めるには大量の除湿材が必要となり、限られたスペースでの設置が困難であった。
【０００７】
また、従来のデシカント調湿装置に用いられる除湿材の多くは、吸湿材を含む粘土状物質を成形後に加熱固化するもの（いわゆる焼き物）であるため、製造に多量の熱エネルギーを使い、かつ大型のものでは歩留まりが悪く、結果的に価格も高いことなどから普及が進んでなかった。
【０００８】
ところで、わが国や東南アジアなど高温多湿な季節を有する地域においては、除湿のために空調機で処理対象の空気を露点以下まで冷却し、空気中の水分（水蒸気）を水に凝縮変換した後に除去する運転を行っている。
【０００９】
一般に、空調機の冷房時理論COP（成績係数）は作動媒体の蒸発温度（Ｔeva）と凝縮温度（Tcon）による次式にて規定される。
（理論COP）＝（Ｔeva）／[(Tcon）−(Ｔeva)]（但し、温度は絶対温度）。
【００１０】
このため、空調機にて除湿運転を行う場合、前記凝縮温度(Tcon）は外気温度で決まるが、前記蒸発温度（Ｔeva）を露点以下とする必要があり、冷房時理論COPは小さくなってしまい、エネルギー効率が悪化していた。
【００１１】
従って、空調機での除湿が不要となれば、空調機は単に目的温度まで空気温度を低下させるだけで良く、凝縮潜熱を除去する負荷をはじめ、低温度領域まで空気を冷却する負荷からも開放される。
【００１２】
例えば、夏季運転（例：気温33℃、相対湿度60％の外気を気温26℃、相対湿度50％まで冷却する場合）で、Ｔeva＝8℃、Tcon＝43℃とすれば、
（理論COP）＝（8＋273）／（43−8）＝8.0  となる。
これに対し、除湿不要の場合は、Ｔeva＝19℃、Tcon＝43℃ と見積もれることから、
（理論COP）＝（19＋273）／（43−19）＝12.2  となり、
理論効率で50％上昇し、かつ冷却負荷も凝縮熱分が入らないので空調機のエネルギー消費量は大幅に改善することが可能となる。
【００１３】
同様に、冬季や乾燥季には外気が乾燥するため、換気に際し加湿が不可欠となる。室内加湿には超音波加湿装置などが用いられるが、電力消費を伴うという問題がある。これに対し、室内から外気へ排出される空気に含まれる水分を分離回収し、これを外気からの導入空気に添加できれば加湿負荷が低減され、やはり省エネルギー性が確保される。
【００１４】
このように、われわれの住環境における湿度調整には多大な電力が使われており、換気に伴う除湿、加湿の手段の効率化、省エネルギー化が地球温暖化対策に有効である。
【００１５】
そこで本発明の主たる課題は、換気強化に伴う空調負荷の増大を防止すべく、室内空気と外気との湿度や温度の交換を行いながら換気が可能なデシカント装置において、除湿材の乾燥（再生）に要する運転時間を短縮して効率のよい換気を行うとともに、軽量コンパクトでメンテナンスが容易な換気システムを提供することにある。
【課題を解決するための手段】
【００１６】
前記課題を解決するために請求項１に係る本発明として、外気を室内へ供給する給気モードと、室内空気を室外へ排出する排気モードとを有する換気システムにおいて、除湿材を内蔵し流通空気からの除湿又は流通空気の加湿を行う水分吸脱装置部を備えるとともに、蓄熱体を内蔵し流通空気の冷却又は流通空気の加熱を行う蓄熱装置部とを備え、前記水分吸脱装置部及び蓄熱装置部を経由する給気モード運転と、少なくとも蓄熱装置部を経由する排気モード運転とを交互に繰り返し行うようにしたことを特徴とする換気システムが提供される。
【００１７】
上記請求項１記載の本発明では、水分吸脱装置部と蓄熱装置部とを備え、外気を室内へ供給する給気モードと、室内空気を室外へ排出する排気モードとを交互に繰り返し運転することにより、一年を通じて外気と室内空気との温湿度交換を行いながら室内換気ができ、室内空気の温湿度維持と空調負荷のエネルギー効率の改善を図ることが可能となる。
【００１８】
請求項２に係る本発明として、給気モード運転時には、前記水分吸脱装置部を通過した外気が前記蓄熱装置部を経由した後に室内へ供給され、排気モード運転時には、前記蓄熱装置部を通過した室内空気が前記水分吸脱装置部を経由した後に、或いは前記水分吸脱装置部を経由することなく直接的に室外へ排出される流路構成としたことを特徴とする請求項１記載の換気システムが提供される。
【００１９】
上記請求項２記載の本発明は、上記請求項１記載の換気システムの給気モード運転時と排気モード運転時のそれぞれ具体的な流路構成を示したものである。
【００２０】
請求項３に係る本発明として、外気が室内空気に比して相対的に多量の水分を含む条件においては、前記給気モード運転時に外気が前記水分吸脱装置部を経由し除湿され、次いで前記蓄熱装置部を経由し冷却された後に室内へ供給される流路構成とし、前記排気モード運転時に前記除湿材を乾燥（再生）させる再生運転が行われることを特徴とする請求項１、２いずれかに記載の換気システムが提供される。
【００２１】
請求項４に係る本発明として、室内空気が外気に比して相対的に多量の水分を含む条件においては、給気モード運転時に前記除湿材を乾燥（再生）させる再生運転が行われ、前記排気モード運転時に室内空気が前記蓄熱装置部を経由し、次いで前記水分吸脱装置部を経由し除湿された後に室外へ排出される流路構成としたことを特徴とする請求項１、２いずれかに記載の換気システムが提供される。
【００２２】
上記請求項３記載の本発明は、夏季や梅雨時のように外気が多湿の状態における流路構成を示したものであり、上記請求項４記載の本発明は、冬季や乾燥季のように外気が乾燥した状態における流路構成を示したものである。夏季や梅雨時には、給気モード運転時に除湿が、排気モード運転時に再生運転がそれぞれ行われ、冬季や乾燥季には、給気モード運転時に再生運転が、排気モード運転時に蓄熱および除湿がそれぞれ行われ、給気モード運転と排気モード運転とを交互に繰り返し行うことによって、除湿効果の維持が図られるようになっている。
【００２３】
請求項５に係る本発明として、前記除湿材を乾燥（再生）させる再生運転時間を、流通空気の除湿を行う給気又は排気の運転時間の半分以下に設定したことを特徴とする請求項３、４いずれかに記載の換気システムが提供される。
【００２４】
上記請求項５記載の本発明は、再生運転の所要時間を半分以下、好ましくは１／４以下、より好ましくは１／６以下とすることによって、効率的な換気を可能としている。
【００２５】
請求項６に係る本発明として、一般空調機、湯沸かし器、動力装置等の既存設備から排出される高温空気或いは温排気を前記水分吸脱装置に導く導入手段、及び／又は前記除湿材にマイクロ波を照射するマイクロ波照射装置を備え、前記再生運転時において、前記除湿材を乾燥（再生）させることを特徴とする請求項３〜５いずれかに記載の換気システムが提供される。
【００２６】
上記請求項６記載の本発明は、除湿材を乾燥（再生）させる再生運転を高効率にするための除湿材の加熱手段について規定している。即ち、一般空調機、湯沸かし器、動力装置等の既存設備から排出される高温空気或いは温排気を除湿剤に導入して加熱する手段、又は除湿剤にマイクロ波を照射して直接加熱する手段によって、除湿剤の乾燥（再生）を促進させようとするものである。
【００２７】
請求項７に係る本発明として、前記マイクロ波照射装置は、前記除湿材の吸湿状態を検知する湿度検出装置と、この検知した湿度に応じて照射するマイクロ波の入切または強弱を制御可能とするマイクロ波制御機構とを具備することを特徴とする請求項６記載の換気システムが提供される。
【００２８】
上記請求項７記載の本発明は、照射するマイクロ波の入切または強度を時間と共に変動させる制御手段を導入することで、除湿材の乾燥程度に応じてマイクロ波出力を最適化できるようになる。
【００２９】
請求項８に係る本発明として、前記水分吸脱装置部における除湿材は、吸湿効果のある微粉末が通気性シートに分散固定することによって構成されるか、又は吸湿効果のある物質を溶解させた液体を通気性シートに吸着させた後、乾燥・晶析することによって構成されるか、或いは吸湿性を有する繊維を織り込むことによって構成されたシート状の除湿剤とされることを特徴とする請求項１〜７いずれかに記載の換気システムが提供される。
【００３０】
上記請求項８記載の本発明は、除湿材の具体的な構成について示したものである。このような構成にすることによって、除湿材と空気との接触面積が大きくなり、除湿効果が向上するとともに、軽量コンパクトで製造が容易な水分吸脱装置が可能となり、かつ、水分吸脱装置の除湿材をカセット交換方式などとすることによってメンテナンスを容易にすることが可能となる。
【００３１】
請求項９に係る本発明として、前記除湿材を内包する函体の外壁又は函体内部に前記除湿材と隔壁を介して熱交換可能な空気流路を設置し、当該空気流路に外気、又は一般空調機、湯沸かし器、動力装置などの既存設備から排出される高温空気或いは温排気を導入する構成としたことを特徴とする請求項１〜８いずれかに記載の換気システムが提供される。
【００３２】
上記請求項９記載の本発明は、除湿材による吸湿工程、除湿材の乾燥（再生）工程を高効率に実施するための除湿材の加熱あるいは冷却の手段について規定している。即ち、除湿材は吸湿工程で発熱を伴い自身の温度上昇が発生するが、この温度上昇は吸湿能力を低下させる。このため吸湿工程では除湿材を冷却し、また乾燥（再生）工程では除湿材を加熱することで乾燥効率を高める手段の導入がシステム構成上有効である。本発明では除湿材を保有する型枠の外壁あるいは除湿材内部に除湿材と隔壁を介して熱交換可能な空気流路を設置し、この空気流路に外気または一般空調機（エアコン）や湯沸かし器、動力装置などから得られる比較的温度の高い空気あるいは温排気を導入する構成とすることによって、除湿材を冷却あるいは加熱することが可能となる。
【発明の効果】
【００３３】
以上説明したとおり本発明によれば、換気強化に伴う空調負荷の増大を防止すべく、室内空気と外気との湿度や温度の交換を行いながら換気が可能なデシカント装置において、除湿材の乾燥（再生）に要する運転時間を短縮した効率のよい換気が可能になるとともに、軽量コンパクトでメンテナンスが容易な換気システムの提供が可能となる。
【発明を実施するための最良の形態】
【００３４】
以下、本発明の実施の形態について図面を参照しながら詳述する。
図１は、本発明に係る換気システムの構成例を示した図である。
【００３５】
本発明に係る換気システムＶＳは、除湿材１を内蔵し流通空気からの除湿又は流通空気の加湿を行う水分吸脱装置部４と、蓄熱体８を内蔵し流通空気の冷却又は流通空気の加熱を行う蓄熱装置部７とから構成され、前記水分吸脱装置部４を通過した外気２が前記蓄熱装置部７を経由した後に室内へ供給される給気モード運転と、前記蓄熱装置部７を通過した室内空気３が前記水分吸脱装置部４を経由した後に、或いは前記水分吸脱装置部４を経由することなく直接的に室外へ排出される排気モード運転とが交互に繰り返し行われる。
【００３６】
換気システムＶＳの流路構成は、運転時季によって異なる。すなわち、夏季や梅雨時のように外気２が室内空気３に比して相対的に多量の水分を含む高温多湿の条件においては、給気モード運転時に外気２が前記水分吸脱装置部４を経由し除湿され、次いで前記蓄熱装置部７を経由し冷却された後に室内へ供給される流路構成とし、排気モード運転時に前記除湿材１を乾燥（再生）させる再生運転が行われる。また、冬季や乾燥季のように室内空気３が外気２に比して相対的に多量の水分を含む低温低湿の条件においては、給気モード運転時に前記除湿材１を乾燥（再生）させる再生運転が行われ、排気モード運転時に室内空気３が前記蓄熱装置部７を経由し、次いで前記水分吸脱装置部４を経由し除湿された後に室外へ排出されるようになっている。これにより、夏季や梅雨時には高温多湿の外気２が、冬季や乾燥季には低温低湿の外気２が、それぞれ温湿度調整されて室内に供給されるようになり、換気に伴う空調負荷の防止などの効果が発揮されるものである。
【００３７】
〔換気システムＶＳの構成〕
先ず、換気システムＶＳの構成について詳述する。換気システムＶＳは、図１、図２に示されるように、シリカゲル等の除湿材１が内在され、外気２または室内空気３の水分（湿度分）を吸脱する作用を有する複数のデシカント流路５Ａ、５Ａ…と、前記デシカント流路５Ａ、５Ａ…と隔壁を介して交互に交差され、前記除湿材１の吸湿に伴い上昇した温度を冷却するように熱交換可能な作用を有する空気流路５Ｂ、５Ｂ…とから構成される水分吸脱装置４と、前記除湿材１にマイクロ波を照射して吸着した水分を強制的に脱着させる作用を有するマイクロ波照射装置６と、蓄熱体８が内在され前記デシカント流路５Ａに接続すると共に、外気２または室内空気３が通過する際に前記蓄熱体８の放熱および蓄熱の作用によって気体の温度調整を行う蓄熱装置７とから主に構成されている。また、前記換気システムＶＳのデシカント流路５Ａと蓄熱装置７との接続部分には、一般空調機（エアコン）、湯沸かし器、動力装置などの既存設備９から排出される高温空気あるいは温排気を直接前記除湿材１に導くための排気ダクト１０が接続され、除湿材１の水分脱着（再生）時に高温の空気が供給されるようになっている。なお、各流路には、給気、排気のためのファン（図示せず）が適宜配設される。
【００３８】
前記水分吸脱装置４は、図２に示されるように、デシカント流路５Ａ、５Ａ…と空気流路５Ｂ、５Ｂ…とが隔壁を介して交互に交差して構成され、各デシカント流路５Ａには、以下詳述するような各種除湿材１が配設されている。
【００３９】
前記除湿材１には、一般的に知られているように、シリカゲルやゼオライトなどを粒状形状に形成したものを使用することができ、この除湿材１はデシカント流路５Ａに通気可能に充填して使用される。さらに、吸湿剤を紙（特に和紙のような通気性の高い紙）や不織布、布、ガーゼなどに漉き込む手段や織り込む手段、あるいは薄い樹脂板の表面に接着する手段などを用いて分散固定したシートを、立体的に折り曲げたり、スペーサを介して複数枚積み上げたりして通気性のある立体的な除湿材１を構成して前記デシカント流路５Ａに配設することもできる。また、吸湿剤が液体であったり、或いは液体中に分散又は溶解した状態の場合は、立体的に構成された紙や不織布、布、ガーゼなどに吸い込ませた除湿材１や、吸い込ませた後に乾燥・晶析させた除湿材１とすることができる。
【００４０】
前述のように、吸湿剤を紙や不織布、布、ガーゼなどに分散固定した除湿材１とすることによって、通過する空気との接触面積が大きくなるため、除湿材１への水分の吸脱着が効率よく行われるようになる。またこの構成により、除湿材１および水分吸脱装置４の製造が容易で軽量コンパクトな構造にすることができ、かつ、除湿材１のカセット交換方式などによりメンテナンスが容易な構成とすることができる。
【００４１】
本発明では、換気システムＶＳの温度および湿度交換の効率を向上させるため、前記デシカント流路５Ａ、５Ａ…には、マイクロ波照射装置６が配設されている。前記マイクロ波照射装置６は、除湿材にマイクロ波を照射して吸着した水分子を励振させて加熱し、水分の蒸発による再生（脱着）を促進するための装置である。なお、後述するように、運転時季に応じて、給気モードと排気モードとの切り替えが行われた場合に、所定状態のときにマイクロ波照射装置６を作動させ、吸着剤の水分を蒸発させるようになっている。また、前記マイクロ波照射装置６は、前記除湿材１の吸湿状態を検知する湿度検出装置と、この検知した湿度に応じて照射するマイクロ波の入切または強弱を制御可能とするマイクロ波制御機構とを具備するように構成することによって、除湿材１の乾燥程度に応じてマイクロ波出力を最適化できる構成としている。
【００４２】
次に、前記マイクロ波照射装置６によるマイクロ波照射時の安全性確保手段について説明する。除湿材１を内蔵したデシカント流路５Ａおよびマイクロ波照射装置６の主要構成機器を筐体内に配設し、前記筐体の外面や開口となる空気ダクトに、金属製パンチングボード、あるいは導電性材料にて形成される網状シートを配設することによって、マイクロ波の外部漏洩を防止することが可能となる。
さらに、除湿材１を内包する前記水分吸脱装置４の構成材や容器材として、非導電性材料あるいは低誘電率の材料を使用することによって、前記マイクロ波照射装置６によるマイクロ波照射時の放電や、渦電流の発生に伴うマイクロ波の損失、更には誘電体へのマイクロ波の集中などの問題が防止でき、マイクロ波照射による除湿材１からの水分脱着を効率よく行うことができるようになる。
【００４３】
〔換気システムＶＳの運転状態〕
次に、換気システムＶＳの運転状態について、夏季（高温多湿）、梅雨時（中間温度であるが多湿）、冬季（低温低湿）の気候条件に分けて詳述する。
【００４４】
（夏季の場合）
図３は夏季の給気モード運転、図４は夏季の排気モード運転（再生運転）の流路構成と各部の空気の温度湿度状態を示した図である。
夏季の場合、外気２は、温度33℃、相対湿度60％RH（以下、それぞれの単位のみの表記とする）の高温多湿な状態を想定し、この外気２に対して、換気システムＶＳを通過後室内に供給される空気が、26℃、50％RHとなるような換気システムＶＳを運用する。
【００４５】
夏季の給気モードでの運転時には、図３に示されるように、先ず、外気２（33℃、60％RH）が水分吸脱装置４のデシカント流路５Ａ、５Ａ…に導かれ、前記デシカント流路５Ａ、５Ａ…に内蔵する除湿材１、１…と接触しながら流れ、デシカント流路５Ａを通過後の空気は、温度約37℃、相対湿度約20％RH程度となり、その後蓄熱装置７へ送られる。蓄熱装置７に導入された流通空気は、ペブル状蓄熱体８と接触し、流下するにしたがい低温化（保持する顕熱を蓄熱体８に与える）し、最終的に目的温度である26℃程度まで冷却された後に室内へ供給される。
【００４６】
ここで、デシカント流路５Ａを流通する空気は、空気中に含まれる水分が除湿材１に吸着され、この水分吸着に伴って流通空気の温度が上昇し、除湿材１の吸湿能力を低下させる問題がある。そのため、夏季の給気モード運転時には、前記空気流路５Ｂに外気２を流通させ、デシカント流路５Ａの流通空気および除湿材１との熱交換を行って冷却するようにする。これによって、デシカント流路５Ａの流通空気の温度上昇が防止でき、除湿材１の吸着効率の維持を図ることが可能となる。その後、空気流路５Ｂを通過した外気２は、外部へ排気される。
【００４７】
上述のような給気モード運転により、高温多湿の外気２は低温・低湿化された後、室内に供給されるので、換気に伴い室内に設置された空調機にかかる除湿や冷却の負荷が大幅に削減でき、快適性を損なうこと無くエネルギー消費増大を最小限に抑えた換気システムが可能となる。
【００４８】
次に、夏季の排気モードでの運転（再生運転）について説明する。夏季の排気モード運転は、前記給気モード運転で多量の水分を吸着した除湿材１の乾燥（再生）を行うことを主な目的とする。排気モード運転は、図４に示されるように、室内空気３（26℃、50％RH）が、先ず、蓄熱装置７に導かれ、ペブル状蓄熱体８と接触しながら流下するにしたがい蓄熱体８から顕熱を奪って蓄熱体８を冷却し、同時に流通空気が高温化され、室外へ排気される。
【００４９】
一方、除湿材１の乾燥（再生）には、一般空調機（エアコン）、湯沸かし器、動力装置などの既存設備９で使用された高温化した排気（約55℃、20％RH）を使用することができる。前記既存設備９の高温化した排気は、水分吸脱装置４のデシカント流路５Ａに供給され、除湿材１に吸着している多量の水分を放散させ、除湿材１を効率よく乾燥（再生）させることが可能である。
【００５０】
上述のような給気モードと排気モードの運転を繰り返すことによって、除湿材１の乾燥および蓄熱体８の冷却（再生）が行われ、次の給気モード運転（水分吸着および冷却）が可能となる。
【００５１】
また、従来、前記排気モード運転時に、除湿材１の乾燥（再生）に長時間を要する問題が指摘されていた。この原因は、除湿材１からの水分脱着が除湿材１の吸熱変化によるものであることから、効率的な除湿材１の加熱が困難という点にあった。そこで、排気モード運転の時間を短縮化する目的で、再生運転の適当なタイミングで短時間マイクロ波照射装置６を稼動させて除湿材１にマイクロ波を照射することにより、除湿材１に吸着されている水分を選択的に励起し脱着させるようにする。前記マイクロ波照射装置６は、除湿材１の吸湿状態を検知する湿度検出装置と、この検知した湿度に応じて照射するマイクロ波の入切または強弱を制御可能とするマイクロ波制御機構とから構成される。これにより短時間で、かつ適当なタイミングで除湿材１の乾燥（再生）が可能となり、除湿材１を乾燥（再生）させる再生運転の所要時間を、流通空気の除湿を行う給気の運転時間の半分以下、好ましくは１／４以下、より好ましくは１／６以下にすることができるようになる。
【００５２】
（梅雨時の場合）
図５は梅雨時の給気モード運転、図６は梅雨時の排気モード運転（再生運転）の流路構成と各部の空気の温度湿度状態を示した図である。
梅雨時の場合、外気２は、26℃、70％RHの中温多湿な状態を想定し、この外気２に対して、換気システムＶＳを通過後室内に供給される空気が、26℃、50％RHとなるような換気システムＶＳを運用する。
【００５３】
梅雨時の給気モード運転では、前記夏季の給気モード運転と同様に、図５に示されるように、先ず、外気２（26℃、70％RH）が水分吸脱装置４のデシカント流路５Ａ、５Ａ…に導かれ、前記デシカント流路５Ａ、５Ａ…に内蔵する除湿材１、１…と接触しながら流れる。この際、外気２に含まれる水分は、除湿材１に吸着される。この水分吸着に伴いデシカント流路５Ａを通過する空気の温度が上昇するが、前記デシカント流路５Ａ、５Ａ…と交互に交差して形成され、外気２を導入する空気流路５Ｂにより、除湿材１ならびにデシカント流路５Ａを通過する空気が冷却（熱交換）される。水分吸脱装置４のデシカント流路５Ａを通過後の空気は、温度約33℃、相対湿度約33％RH程度となり、その後蓄熱装置７へ送られる。一方、空気流路５Ｂを通過して、デシカント流路５Ａを流れる空気と熱交換を行った外気２は、その後外部へ排気される。
【００５４】
そして、水分吸脱装置４から蓄熱装置７へ送られた流通空気は、蓄熱装置７内のペブル状蓄熱体８と接触し、流下するにしたがい低温化（保持する顕熱を蓄熱体８に与える）し、最終的に目的温度である26℃程度まで冷却された後に室内へ供給される。
【００５５】
次に、梅雨時の排気モードでの運転（再生運転）について説明する。梅雨時の排気モード運転は、図６に示されるように、室内空気３（26℃、50％RH）が、先ず、蓄熱装置７に導かれ、ペブル状蓄熱体８と接触しながら流下するにしたがい蓄熱体８から顕熱を奪って蓄熱体８を冷却し、同時に流通空気が高温化されて、水分吸脱装置４のデシカント流路５Ａに送られ、除湿材１の乾燥（再生）が行われる。
【００５６】
前記夏季の排気モード運転の場合、除湿材１の乾燥（再生）には、一般空調機（エアコン）、湯沸かし器、動力装置などの既存設備９で使用された高温化した排気を使用していたが、梅雨時には、これらの機器を稼働していない場合が多いため、前述のように蓄熱装置７で高温化された空気を使用するようにする。かかる高温化された空気は、除湿材１に吸着している多量の水分を放散させ、除湿材１を効率よく乾燥（再生）して室外に排出する。このとき、図６に示されるように、マイクロ波照射装置６により除湿材１にマイクロ波を照射して、除湿材１の水分脱着を促進させるようにするのが望ましい。
【００５７】
（冬季の場合）
図７は冬季の給気モード運転、図８は冬季の排気モード運転（再生運転）の流路構成と各部の空気の温度湿度状態を示した図である。
冬季の場合、外気２は、0℃、40％RHの低温低湿な状態を想定し、この外気２に対して、換気システムＶＳを通過後室内に供給される空気が、22℃、40％RHとなるような換気システムＶＳを運用する。
【００５８】
冬季の給気モードでの運転時には、図７に示されるように、先ず、外気２が水分吸脱装置４のデシカント流路５Ａ、５Ａ…に導かれ、前記デシカント流路５Ａ、５Ａ…に内蔵する除湿材１、１…と接触しながら流れる。このとき、除湿材１は、マイクロ波照射装置６によりマイクロ波が照射され、乾燥（再生）が促進さされるとともに、流通空気を加湿および加熱する。かかる加湿および加熱された流通空気は、温度約30℃、相対湿度約25％RH程度となり、その後蓄熱装置７へ送られる。蓄熱装置７へ流入した空気は、室内空気３の温度状態に調整された蓄熱装置７内のペブル状蓄熱体８と接触し、流下するにしたがい室内空気の温度状態である22℃程度まで調整された後に室内へ供給される。
【００５９】
この様な給気運転により、低温低湿の外気２は温度および湿度が調整された後、室内に供給されるので、換気に伴い室内に設置された空調機にかかる加湿や暖房の負荷が大幅に削減でき、快適性を損なうこと無くエネルギー消費増大を最小限に抑えた換気システムが可能となる。
冬季の排気モードでの運転時には、図８に示されるように、室内空気３（22℃、40％RH）が、先ず、蓄熱装置７に導かれ、ペブル状蓄熱体８と接触しながら流下するにしたがい蓄熱体８から顕熱を奪って蓄熱体８を冷却し、同時に流通空気が高温化（30℃、24％RH）されて、デシカント流路５Ａに送られる。デシカント流路５Ａでは、内蔵される除湿材１が流通空気の水分を吸着して、流通空気は乾燥される。それに伴い流通空気は昇温するため、空気流路５Ｂに外気２を流通させて、デシカント流路５Ａ内の流通空気との熱交換を行うことにより、デシカント流路を冷却して除湿材１の吸着作用の維持を図るようにしている。
【００６０】
〔他の形態例〕
(1)上記形態例では、換気システムＶＳが１セット備えられ、給気モードと排気モードを交互に繰り返して運転するようにしたが、換気システムＶＳを２セット以上の複数備えられるようにして、それぞれの換気システムＶＳで給気モードと排気モードの異なる運転を交互に行うようにしてもよい。このように構成することによって、常時給気と排気の室内換気が行われるようになり、より高度な換気が可能となる。
【図面の簡単な説明】
【００６１】
【図１】本発明に係る換気システムＶＳの構成概要図である。
【図２】水分吸脱装置４の流路構成を表した概略図である。
【図３】夏季の給気モード運転時における流路構成と、各部の温度と湿度の状態を示した図である。
【図４】夏季の排気モード運転時における流路構成と、各部の温度と湿度の状態を示した図である。
【図５】梅雨時の給気モード運転時における流路構成と、各部の温度と湿度の状態を示した図である。
【図６】梅雨時の排気モード運転時における流路構成と、各部の温度と湿度の状態を示した図である。
【図７】冬季の給気モード運転時における流路構成と、各部の温度と湿度の状態を示した図である。
【図８】冬季の排気モード運転時における流路構成と、各部の温度と湿度の状態を示した図である。
【符号の説明】
【００６２】
１・・・除湿材、２・・・外気、３・・・室内空気、４・・・水分吸脱装置、５Ａ…デシカント流路、５Ｂ・・・空気流路、６・・・マイクロ波照射装置、７・・・蓄熱装置、８・・・蓄熱体、９・・・既存設備、ＶＳ…換気システム
【図１】
2007170786.tif 000003
【図２】
2007170786.tif 000004
【図３】
2007170786.tif 000005
【図４】
2007170786.tif 000006
【図５】
2007170786.tif 000007
【図６】
2007170786.tif 000008
【図７】
2007170786.tif 000009
【図８】
2007170786.tif 000010